【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
医療ボディエリアネットワーク（ＭＢＡＮ）チャネル管理システムであって：
複数のＭＢＡＮシステムによって使用されるべき利用可能なチャネルセットを識別し；
複数のＭＢＡＮ優先順位の各々についてのチャネルセットを示すチャネルアクセスルールを生成し、ここで、前記チャネルセットのチャネルは前記利用可能なチャネルセットのうちのチャネルであり、前記複数のＭＢＡＮ優先順位が、前記複数のＭＢＡＮシステムに割り当てられるＭＢＡＮ優先順位に対応しており；
前記チャネルアクセスルールを前記複数のＭＢＡＮシステムに通信し、ここで、前記複数のＭＢＡＮシステムのうちのあるＭＢＡＮシステムは、該ＭＢＡＮシステムに割り当てられたＭＢＡＮ優先順位に対応する、前記チャネルセットからのチャネルを使用する；
ように構成される少なくとも１つのコントローラを備え、
前記少なくとも１つのコントローラは、前記複数のＭＢＡＮシステムに割り当てられる前記複数のＭＢＡＮ優先順位の各々についてのチャネルセットを示す前記チャネルアクセスルールを、患者の緊急度レベルに基づいて生成するように構成される、
ＭＢＡＮチャネル管理システム。
【請求項２】
前記複数のＭＢＮ優先順位についての前記チャネルセットは、前記複数のＭＢＡＮ優先順位に基づいて異なる、
請求項１に記載のＭＢＡＮチャネル管理システム。
【請求項３】
前記少なくとも１つのコントローラは、
前記ＭＢＡＮチャネル管理システムが使用される医療機関の複数のサービスエリアの各々又は複数のサービスゾーンの各々について前記チャネルアクセスルールを生成する
ように更に構成され、前記複数のサービスエリアは、前記複数のＭＢＡＮシステムが当該ＭＢＡＮチャネル管理システムと通信するアクセスポイントのサービスエリアに対応し、前記複数のサービスゾーンは、サービスエリアの集合に対応し、
前記ＭＢＡＮシステムは、前記ＭＢＡＮシステムの優先順位と、前記ＭＢＡＮシステムが配置される前記サービスエリア又はサービスゾーンに対応する、前記チャネルセットからのチャネルを使用する、
請求項１又は２のいずれか一項に記載のＭＢＡＮチャネル管理システム。
【請求項４】
前記少なくとも１つのコントローラは、
ＭＢＡＮ優先順位における変更と、サービスエリア又はサービスゾーンにおける変更とを示すレポートを前記複数のＭＢＡＮシステムから受け取るように更にプログラムされ、前記複数のＭＢＡＮシステムの各々は、当該ＭＢＡＮチャネル管理システムが使用される医療機関の複数のサービスエリアのうちの１つ又は複数のサービスゾーンのうちの１つに配置され、前記複数のサービスエリアは、前記複数のＭＢＡＮシステムが当該ＭＢＡＮチャネル管理システムと通信するアクセスポイントのサービスエリアに対応し、前記複数のサービスゾーンは、共通の役割を共有しているサービスエリアの集合に対応する、
請求項１乃至３のいずれか一項に記載のＭＢＡＮチャネル管理システム。
【請求項５】
前記少なくとも１つのコントローラは、
前記受け取ったレポートに基づいて、前記複数のサービスエリア又は前記複数のサービスゾーンのＭＢＡＮ優先順位分配を決定し、
前記ＭＢＡＮ優先順位分配に基づいて前記チャネルアクセスルールを更新し、
前記更新したチャネルアクセスルールを前記複数のＭＢＡＮシステムに通信する、
ように更にプログラムされる、請求項４に記載のＭＢＡＮチャネル管理システム。
【請求項６】
前記少なくとも１つのコントローラは、
最高位のＭＢＡＮ優先順位についての前記チャネルセット内のチャネルの数を増加させること、
により、前記ＭＢＡＮ優先順位分配に基づいて前記チャネルアクセスルールを更新するように更にプログラムされ、前記最高位のＭＢＡＮ優先順位は、前記ＭＢＡＮ優先順位分配内で最も高いＭＢＡＮ優先順位である、
請求項５に記載のＭＢＡＮチャネル管理システム。
【請求項７】
前記複数のＭＢＡＮ優先順位のうちの１つについての前記チャネルセットは、前記複数のＭＢＡＮ優先順位のうち、より低いＭＢＡＮ優先順位についてのチャネルセットよりも多くのチャネルを含む、
請求項１乃至６のいずれか一項に記載のＭＢＡＮチャネル管理システム。
【請求項８】
前記複数のＭＢＡＮ優先順位のうちの１つについての前記チャネルセットは、前記複数のＭＢＡＮ優先順位のうち、より低いＭＢＡＮ優先順位についてのチャネルセットの上位集合である、
請求項１乃至７のいずれか一項に記載のＭＢＡＮチャネル管理システム。
【請求項９】
前記複数のＭＢＡＮ優先順位のうちのある患者に割り当てられるＭＢＡＮ優先順位は、前記複数のＭＢＡＮ優先順位のうち、より低い緊急度レベルの患者に割り当てられるＭＢＡＮ優先順位よりも高い、
請求項１乃至８のいずれか一項に記載のＭＢＡＮチャネル管理システム。
【請求項１０】
医療ボディエリアネットワーク（ＭＢＡＮ）チャネル管理方法であって：
複数のＭＢＡＮシステムによって使用されるべき利用可能なチャネルセットを識別するステップと；
複数のＭＢＡＮ優先順位の各々についてのチャネルセットを示すチャネルアクセスルールを生成するステップであって、前記チャネルセットのチャネルは前記利用可能なチャネルセットのチャネルであり、前記複数のＭＢＡＮ優先順位が、前記複数のＭＢＡＮシステムに割り当てられるＭＢＡＮ優先順位に対応する、ステップと；
前記チャネルアクセスルールを前記複数のＭＢＡＮシステムに通信するステップであって、前記複数のＭＢＡＮシステムのうちのあるＭＢＡＮシステムは、該ＭＢＡＮシステムに割り当てられたＭＢＡＮ優先順位に対応する、前記チャネルセットからのチャネルを使用する、ステップと；
を備え、
前記複数のＭＢＡＮシステムに割り当てられる複数のＭＢＡＮ優先順位の各々についてのチャネルセットを示すチャネルアクセスルールを生成するステップは、患者の緊急度レベルに基づく、ＭＢＡＮチャネル管理方法。
【請求項１１】
前記複数のＭＢＮ優先順位についての前記チャネルセットは、前記複数のＭＢＡＮ優先順位に基づいて異なる、
請求項１０に記載のＭＢＡＮチャネル管理方法。
【請求項１２】
当該ＭＢＡＮチャネル管理方法が使用される医療機関の複数のサービスエリアの各々又は複数のサービスゾーンの各々について前記チャネルアクセスルールを生成するステップ
を更に含み、前記複数のサービスエリアは、前記複数のＭＢＡＮシステムが当該ＭＢＡＮチャネル管理方法を実行するデバイス又はシステムと通信するアクセスポイントのサービスエリアに対応し、前記複数のサービスゾーンは、サービスエリアの集合に対応し、
前記ＭＢＡＮシステムは、前記ＭＢＡＮシステムの優先順位と、前記ＭＢＡＮシステムが配置される前記サービスエリア又はサービスゾーンに対応する、前記チャネルセットからのチャネルを使用する、
請求項１０又は１１のいずれか一項に記載のＭＢＡＮチャネル管理方法。
【請求項１３】
ＭＢＡＮ優先順位における変更と、サービスエリア又はサービスゾーンにおける変更とを示すレポートを、前記複数のＭＢＡＮシステムから受け取るステップ
を更に含み、前記複数のＭＢＡＮシステムの各々は、当該ＭＢＡＮチャネル管理方法が使用される医療機関の複数のサービスエリアのうちの１つ又は複数のサービスゾーンのうちの１つに配置され、前記複数のサービスエリアは、前記複数のＭＢＡＮシステムが当該ＭＢＡＮチャネル管理方法を実行するデバイス又はシステムと通信するアクセスポイントのサービスエリアに対応し、前記複数のサービスゾーンは、共通の役割を共有しているサービスエリアの集合に対応する、
請求項１０乃至１２のいずれか一項に記載のＭＢＡＮチャネル管理方法。
【請求項１４】
前記受け取ったレポートに基づいて、前記複数のサービスエリア又は前記複数のサービスゾーンのＭＢＡＮ優先順位分配を決定するステップと、
前記ＭＢＡＮ優先順位分配に基づいて前記チャネルアクセスルールを更新するステップと、
前記更新したチャネルアクセスルールを前記複数のＭＢＡＮシステムに通信するステップと
を更に含む、請求項１３に記載のＭＢＡＮチャネル管理方法。
【請求項１５】
前記複数のＭＢＡＮ優先順位のうちの１つについての前記チャネルセットは、前記複数のＭＢＡＮ優先順位のうち、より低いＭＢＡＮ優先順位についてのチャネルセットよりも多くのチャネルを含む、
請求項１０乃至１４のいずれか一項に記載のＭＢＡＮチャネル管理方法。